(57)【要約】【課題】  暗黒始動性の悪いランプを低コストで点灯させる画像読み取り装置を提供する。【解決手段】  反射原稿を照明する反射原稿用ランプと、透過原稿を照明する透過原稿用ランプと、前記反射原稿用ランプに照明された反射原稿、及び前記透過原稿用ランプに照明された透過原稿を読み取るイメージセンサと、前記反射原稿用ランプ又は前記透過原稿用ランプの一方のランプから放射された光が他方のランプに至る光路と、前記反射原稿用ランプ又は前記透過原稿用ランプの一方のランプの点灯が指示されると、指示された前記一方のランプを始動させるとともに、指示された前記一方のランプの始動前又は始動後に他方のランプを始動させる始動手段と、を備える。【選択図】    図１
2006279426.tif 000002
【特許請求の範囲】
【請求項１】
反射原稿を照明する反射原稿用ランプと、
透過原稿を照明する透過原稿用ランプと、
前記反射原稿用ランプに照明された反射原稿、及び前記透過原稿用ランプに照明された透過原稿を読み取るイメージセンサと、
前記反射原稿用ランプ又は前記透過原稿用ランプの一方のランプから放射された光が他方のランプに至る光路と、
前記反射原稿用ランプ又は前記透過原稿用ランプの一方のランプの点灯が指示されると、指示された前記一方のランプを始動させるとともに、指示された前記一方のランプの始動前又は始動後に他方のランプを始動させる始動手段と、
を備えることを特徴とする画像読み取り装置。
【請求項２】
前記反射原稿及び前記透過原稿が載置されるプラテンと、
前記プラテンを支持するハウジングと、
前記プラテンの原稿載置面を覆う姿勢と開放する姿勢とに揺動可能に前記ハウジングに連結される原稿カバーとを更に備え、
前記反射原稿用ランプは前記ハウジングに収容され、
前記透過原稿用ランプは前記原稿カバーに設けられ、
前記ハウジングは、前記プラテンの原稿載置面から離間した位置に前記光路を形成する通孔を有することを特徴とする請求項１に記載の画像読み取り装置。
【請求項３】
前記反射原稿及び前記透過原稿が載置されるプラテンと、
前記プラテンを支持するハウジングと、
前記プラテンの前記原稿載置面を覆う姿勢と開放する姿勢とに揺動可能に前記ハウジングに連結される原稿カバーと、
前記原稿載置面に前記反射原稿又は前記透過原稿を位置決めする原稿ガイドとを更に備え、
前記反射原稿用ランプは前記ハウジングに収容され、
前記透過原稿用ランプは前記原稿カバーに設けられ、
前記原稿ガイドは前記光路を形成する通孔を有することを特徴とする請求項１に記載の画像読み取り装置。
【請求項４】
前記反射原稿用ランプ又は前記透過原稿用ランプの一方のランプを照明する補助光源であって、暗黒環境に放置されても始動から点灯までの始動時間が長くならない補助光源を更に備え、
前記始動手段は、前記一方のランプの点灯が指示されると、前記一方のランプの始動前又は始動後に前記他方のランプを始動させるとともに前記補助光源を点灯させ、前記他方のランプの点灯が指示されると、前記他方のランプの始動前又は始動後に前記一方のランプを始動させることを特徴とする請求項１、２又は３に記載の画像読み取り装置。
【請求項５】
前記反射原稿用ランプを主走査方向に搬送するキャリッジを更に備え、
前記補助光源は前記キャリッジ外に設けられることを特徴とする請求項４に記載の画像読み取り装置。
【発明の詳細な説明】
【技術分野】
【０００１】
本発明は、画像読み取り装置に関する。
【背景技術】
【０００２】
光が遮られた暗黒の環境に放置されると始動から点灯までの始動時間が長くなるランプ、所謂「暗黒始動性」が悪いランプとして、例えば、冷陰極型蛍光ランプ（ＣＣＦＬ）、冷陰極型キセノンランプ、外部電極型キセノンランプ、キセノンフラッシュランプなどが知られている。これらのランプは点灯時に放電のきっかけとなる初期電子が必要であるが、初期電子は暗黒環境に放置されると減少するため、暗黒環境に放置されると電圧を印可して始動してから実際に点灯するまでの始動時間が長くなり、また、始動時間のばらつきも大きくなる。
【０００３】
また、従来の画像読み取り装置には、反射原稿用ランプと透過原稿用ランプとを備え、印刷文書や写真などの反射原稿と、写真フィルムなどの透過原稿とを読み取るものが知られている。反射原稿用ランプや透過原稿用ランプとしては、点滅させても寿命が短くなり難いという理由でＣＣＦＬが使用されることが多い。
しかしながら、ＣＣＦＬは前述したように暗黒環境に放置されると始動時間が長くなるので、例えば画像読み取り装置を梱包して倉庫に２〜３週間保管しておいた場合、ユーザが梱包を解いた直後に画像読み取り装置を利用しようとすると、ＣＣＦＬが点灯せず使用できないという問題が発生することがある。
【０００４】
この問題を解決する方法として、補助光源を用いる方法が知られている（例えば特許文献１参照。）。補助光源でランプを照明するとランプの初期電子が増えるので、ランプの始動時に補助光源でランプを照明することにより、ランプの始動時間を短縮できる。
また、この問題を解決する方法として、外光を導く導光部材を用いる方法が知られている（例えば特許文献２参照。）。外光でランプを照明し続けておけば初期電子の減少を防止できるので、ランプの始動時間が長くなることを防止できる。
【０００５】
【特許文献１】特開平１−２９４３４８号公報
【特許文献２】特開平１１−２７５４５７号公報
【発明の開示】
【発明が解決しようとする課題】
【０００６】
しかしながら、特許文献１に記載の発光装置によると、ランプ毎に補助光源が必要になるので、コストが増大するという問題がある。例えば反射原稿用ランプおよび透過原稿用ランプのいずれにもＣＣＦＬを用いた場合、補助光源が２つ必要になるので、画像読み取り装置のコストが増大する。
また、特許文献２に記載の画像読取装置によると、外光が十分に得られない暗黒環境では初期電子の減少を防止できないという問題がある。
【０００７】
本発明は、上記問題に鑑みて創作されたものであって、暗黒始動性の悪いランプを低コストで点灯させる画像読み取り装置を提供することを目的とする。
【課題を解決するための手段】
【０００８】
（１）上記目的を達成するため、本発明に係る画像読み取り装置は、反射原稿を照明する反射原稿用ランプと、透過原稿を照明する透過原稿用ランプと、前記反射原稿用ランプに照明された反射原稿、及び前記透過原稿用ランプに照明された透過原稿を読み取るイメージセンサと、前記反射原稿用ランプ又は前記透過原稿用ランプの一方のランプから放射された光が他方のランプに至る光路と、前記反射原稿用ランプ又は前記透過原稿用ランプの一方のランプの点灯が指示されると、指示された前記一方のランプを始動させるとともに、指示された前記一方のランプの始動前又は始動後に他方のランプを始動させる始動手段と、を備える。
本発明によると、指示された一方のランプは始動前又は始動後に他方のランプに照明されるので、指示された一方のランプが暗黒始動性の悪いランプであっても補助光源を用いることなく点灯できる。よって本発明によると、暗黒始動性の悪いランプを低コストで点灯できる。
【０００９】
（２）前記反射原稿及び前記透過原稿が載置されるプラテンと、前記プラテンを支持するハウジングと、前記プラテンの原稿載置面を覆う姿勢と開放する姿勢とに揺動可能に前記ハウジングに連結される原稿カバーとを更に備え、前記反射原稿用ランプは前記ハウジングに収容され、前記透過原稿用ランプは前記原稿カバーに設けられ、前記ハウジングは、前記プラテンの原稿載置面から離間した位置に前記光路を形成する通孔を有してもよい。
本発明によると、反射原稿の読み取り時に原稿カバーの下面側に原稿マットを取り付けても光路が遮られないので、他方のランプは原稿カバーに原稿マットが取り付けられたままで一方のランプを照明できる。
【００１０】
（３）前記反射原稿及び前記透過原稿が載置されるプラテンと、前記プラテンを支持するハウジングと、前記プラテンの前記原稿載置面を覆う姿勢と開放する姿勢とに揺動可能に前記ハウジングに連結される原稿カバーと、前記原稿載置面に前記反射原稿又は前記透過原稿を位置決めする原稿ガイドとを更に備え、前記反射原稿用ランプは前記ハウジングに収容され、前記透過原稿用ランプは前記原稿カバーに設けられ、前記原稿ガイドは前記光路を形成する通孔を有してもよい。
【００１１】
（４）前記反射原稿用ランプ又は前記透過原稿用ランプの一方のランプを照明する補助光源であって、暗黒環境に放置されても始動から点灯までの始動時間が長くならない補助光源を更に備え、前記始動手段は、前記一方のランプの点灯が指示されると、前記一方のランプの始動前又は始動後に前記他方のランプを始動させるとともに前記補助光源を点灯させ、前記他方のランプの点灯が指示されると、前記他方のランプの始動前又は始動後に前記一方のランプを始動させてもよい。
本発明によると、反射原稿用ランプ及び透過原稿用ランプがいずれも暗黒始動性の悪いランプであっても、補助光源で一方のランプを照明することにより一方のランプを点灯でき、一方のランプで他方のランプを照明することにより他方のランプを点灯できる。よって本発明によると、ランプ毎に補助光源を備える場合に比べ、反射原稿用ランプ及び透過原稿用ランプを低コストで点灯できる。
【００１２】
（５）前記反射原稿用ランプを主走査方向に搬送するキャリッジを更に備え、前記補助光源は前記キャリッジ外に設けてもよい。
本発明によると、透過原稿用ランプを制御する制御回路、あるいは反射原稿用ランプを制御する制御回路で補助光源を制御することができ、コストを低減できる。
【００１３】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
【発明を実施するための最良の形態】
【００１４】
以下、本発明の実施の形態を複数の実施例に基づいて説明する。各実施例において同一の符号が付された構成要素は、その符号が付された他の実施例の構成要素と対応する。
（第一実施例）
図１は本発明の第一実施例に係る画像読み取り装置としてのイメージスキャナ１の内部構造を示す模式図である。図２はイメージスキャナ１の図１とは異なる位置の断面を示す模式図である。イメージスキャナ１は、プラテン１０に載置された原稿Ｍを読み取る所謂フラットベッド型である。
プラテン１０はガラス板などの透明板で形成され、上を向く面（原稿載置面）１０ａに原稿Ｍが載置される。原稿Ｍは印刷文書、写真、書籍などの反射原稿、あるいは３５ｍｍストリップフィルム、３５ｍｍマウントフィルムなどの透過原稿である。
【００１５】
原稿カバー１１は、ヒンジ１２によりプラテン１０の原稿載置面１０ａを開放する姿勢と原稿載置面１０ａを覆う姿勢とに揺動可能にハウジング１３に連結されている。図１に示す原稿カバー１１の姿勢は、原稿載置面１０ａを覆う姿勢である。
原稿カバー１１には、面光源部１４と、補助光源としての発光ダイオード（ＬＥＤ）１５（図２参照）とが設けられている。ＬＥＤ１５は透過原稿用ランプ１６を照明するための補助光源ではなく、反射原稿用ランプ１９を照明するための補助光源である。
【００１６】
面光源部１４は、透過原稿用ランプ１６、拡散板３３（図６参照）、図示しない反射板等を備える。透過原稿用ランプ１６は白色冷陰極蛍光ランプ（ＣＣＦＬ）であり、その長手方向軸線がキャリッジ１７のガイドロッド１８の中心軸線と平行に延びるように配置されている。面光源部１４は、透過原稿を面均一な照度で照明する。面光源部１４は、反射原稿の読み取り時に原稿マット３４によって覆われる。透過原稿の読み取り時には原稿マット３４が外され、面光源部１４が露出する。
【００１７】
キャリッジ１７は、ハウジング１３に収容されている。キャリッジ１７は原稿載置面１０ａに対し平行なガイドロッド１８に摺動自在に嵌合している。キャリッジ１７は、反射原稿用ランプ１９、ミラー２０、レンズ２１、およびイメージセンサ２２を搭載している。キャリッジ１７はキャリッジ搬送用モータ２３（図３参照）によって駆動されるプーリに掛けられたベルトに牽引され、原稿載置面１０ａと平行なＸ方向に往復移動する。反射原稿用ランプ１９はＣＣＦＬである。すなわち第一実施例では反射原稿用ランプ１９および透過原稿用ランプ１６はいずれもＣＣＦＬであり、暗黒始動性が悪いという性質を有している。ミラー２０およびレンズ２１は、反射原稿用ランプ１９に照明された反射原稿の反射光および透過原稿用ランプ１６に照明された透過原稿の透過光をイメージセンサ２２の受光面に入射させる。反射原稿用ランプ１９、ミラー２０、レンズ２１、及びイメージセンサ２２がキャリッジ１７によってＸ方向に搬送されると、原稿Ｍ上の主走査線が移動する。
【００１８】
イメージセンサ２２は、フォトダイオードなどで構成される図示しないセルが直線的に多数配列された所謂リニアイメージセンサである。イメージセンサ２２は多数のセルが管状の反射原稿用ランプ１９の中心軸線と平行に並ぶ姿勢でキャリッジ１７に搭載されている。イメージセンサ２２の各セルには受光量に応じた電荷が光電変換により蓄積される。各画素に蓄積された電荷は、ＣＣＤ（Charge Coupled Device）によってイメージセンサ２２の出力部に転送される。この電荷転送は、ＣＭＯＳ（Complementary Metal Oxide Semiconductor）によって行われてもよい。イメージセンサ２２から出力される画像信号は、ＡＦＥ部２４（図３参照）に出力される。
【００１９】
図３は、イメージスキャナ１のハードウェアの主要構成を示すブロック図である。
ＣＰＵ２５は、ＲＯＭ２６に記憶されているプログラムを実行してイメージスキャナ１の各部を制御する。また、ＣＰＵ２５はＲＯＭ２６に記憶されているプログラムを実行することで始動手段としても機能する。ＲＯＭ２６は各種プログラム、各種データなどを記憶する不揮発性のメモリである。これらの各種プログラムや各種データは、所定のサーバからのネットワークを介したダウンロード、図示しないリムーバブルメモリなどのコンピュータ読み取り可能な記憶媒体からの読み出しなどによってＲＯＭ２６に格納される。ＲＡＭ２７は各種プログラム、各種データなどを一時的に記憶するメモリである。ＲＡＭコントローラ２８は、ＣＰＵ２５、ＡＦＥ部２４、画像処理部３０、外部インタフェースコントローラ３８などとＲＡＭ２７との間のデータ転送を制御する。
【００２０】
始動手段としての透過原稿用ランプコントローラ２９は、図示しないインバータ回路、制御回路などから構成され、透過原稿用ランプ１６の点灯、消灯を制御する。透過原稿用ランプコントローラ２９から透過原稿用ランプ１６に延びる配線は途中で分岐しており、補助光源としてのＬＥＤ１５に接続されている。従って、透過原稿用ランプコントローラ２９により透過原稿用ランプ１６を点灯させるとＬＥＤ１５も点灯し、透過原稿用ランプコントローラ２９により透過原稿用ランプ１６を消灯させるとＬＥＤ１５も消灯する。
【００２１】
始動手段としての反射原稿用ランプコントローラ３１は、インバータ回路、制御回路などから構成され、反射原稿用ランプ１９の点灯、消灯を制御する。
イメージセンサコントローラ３９はイメージセンサ２２を駆動するために必要な駆動パルスをイメージセンサ２２に出力する駆動回路であり、例えば同期信号発生器、駆動用タイミングジェネレータなどから構成される。
【００２２】
キャリッジコントローラ３２は、キャリッジ搬送用モータ駆動回路、制御回路などから構成される。キャリッジコントローラ３２は、ＣＰＵ２５から送信されるキャリッジ搬送制御信号を受信し、キャリッジ搬送用モータ２３の回転方向、回転速度などを制御する。
アナログフロントエンド（ＡＦＥ）部２４は、ＣＤＳ（Correlated Double Sampling）処理、画像の黒レベルを再現するためのオプティカル・ブラック・クランプ制御、画像の電気信号のゲインの調整による電気信号のレベル調整処理、量子化処理などを行ってディジタル化されたスキャン画像をＲＡＭコントローラ２８を介してＲＡＭ２７に格納する。
【００２３】
画像処理部３０は、ＲＡＭ２７に記憶されているスキャン画像に対し、ガンマ補正、シェーディング補正などの画像処理を施すための信号処理をＣＰＵ２５と協働して行うＤＳＰ（Digital Signal Processor）である。
外部インタフェースコントローラ３８は、イメージスキャナ１とＰＣ（Ｐｅｒｓｏｎａｌ  Ｃｏｍｐｕｔｅｒ）などの外部システムとを通信可能に接続する。
【００２４】
次に、透過原稿用ランプ１６から放射された光が反射原稿用ランプ１９を照明する光路について説明する。光路は、反射原稿用ランプ１９から放射された光が透過原稿用ランプ１６を照明する光路でもある。
図４はハウジング１３の上面の斜視図であり、図５は原稿マット３４がプラテン１０の上に置かれた状態のハウジング１３の上面の斜視図である。ハウジング１３の上壁部には、上壁部を貫通する通孔４０が形成されている。反射原稿用ランプ１９は始動時にキャリッジ１７によって破線で示す位置（補助光源位置）に搬送され、キャリッジ１７が補助光源位置にあるとき、反射原稿用ランプ１９の長手方向の中央部は通孔４０の真下になる。通孔４０はプラテン１０の原稿載置面１０ａから離間した位置であって、原稿カバー１１を閉じたとき図５に示すように原稿マット３４に覆われない位置に設けられている。通孔４０は、特許請求の範囲に記載の「通孔」に相当する。
【００２５】
図６は原稿マット３４が取り付けられていない原稿カバー１１の下面の斜視図であり、図７は原稿マット３４が取り付けられている原稿カバー１１の下面の斜視図である。拡散板３３は原稿カバー１１の底面にガイドロッド１８の長手方向に平行に延びるように設けられている。図７に示すように原稿マット３４は樹脂製の支持部材３５に支持されて原稿カバー１１に取り付けられる。支持部材３５には、原稿カバー１１が閉じた状態のとき通孔４０の真上になる位置であり、且つ拡散板３３の真下になる位置に通孔４２が設けられている。
【００２６】
図８は、原稿カバー１１のフレーム３６のみを載せた状態のハウジング１３の斜視図である。図示するように通孔４０は拡散板３３が設けられる開口３７の下にある。原稿カバー１１に支持部材３５が取り付けられているとき、反射原稿用ランプ１９が補助光源位置にあり且つ原稿カバー１１が閉じた状態で透過原稿用ランプ１６が点灯すると、透過原稿用ランプ１６の端部から放射された光は拡散板３３で拡散された後、支持部材３５の通孔４２およびハウジング１３の通孔４０によって形成される光路Ｐ（図１参照）を通過して反射原稿用ランプ１９の中央部に至る。これにより反射原稿用ランプ１９の中央部が透過原稿用ランプ１６によって照明される。逆に反射原稿用ランプ１９が点灯すると、反射原稿用ランプ１９の中央部から放射される光によって透過原稿用ランプ１６の端部が照明される。透過原稿用ランプ１６は原稿マット３４を取り付けたままで反射原稿用ランプ１９を照明できる。同様に反射原稿用ランプ１９も原稿マット３４を取り付けたままで透過原稿用ランプ１６を照明できる。
【００２７】
次に、ＬＥＤ１５から放射された光が反射原稿用ランプ１９を照明する光路について説明する。
図４に示すように、ハウジング１３の上壁部には、上壁部を貫通する通孔４１が形成されている。キャリッジ１７が補助光源位置にあるとき、反射原稿用ランプ１９の長手方向の一方の端部は通孔４１の真下になる。通孔４１はプラテン１０の原稿載置面１０ａから離間した位置であって、原稿カバー１１を閉じたとき図５に示すように原稿マット３４に覆われない位置に設けられている。
【００２８】
図６に示すように、原稿カバー１１の底面には補助光源としてのＬＥＤ１５が設けられている。
図７に示すように、支持部材３５には通孔４３が形成されている。通孔４３は、原稿カバー１１が閉じた状態のとき通孔４１の真上になる位置であり、且つＬＥＤ１５の真下になる位置に設けられている。
【００２９】
図８に示すようにフレーム３６をハウジング１３に載せると、ＬＥＤ１５が設けられる開口４４の下に通孔４１が見える。原稿カバー１１に支持部材３５が取り付けられているとき、反射原稿用ランプ１９が補助光源位置にあり且つ原稿カバー１１が閉じた状態でＬＥＤ１５が点灯すると、ＬＥＤ１５から放射された光は支持部材３５の通孔４３およびハウジング１３の通孔４１によって形成される光路Ｒ（図２参照）を通過して反射原稿用ランプ１９の一方の端部に至る。これにより反射原稿用ランプ１９の一方の端部がＬＥＤ１５によって照明される。ＬＥＤ１５は原稿マット３４を取り付けたままで反射原稿用ランプ１９を照明できる。なお、第一実施例のＬＥＤ１５は反射原稿用ランプ１９専用の補助光源であり、透過原稿用ランプ１６はＬＥＤ１５によって照明されない。
【００３０】
反射原稿用ランプ１９を照明するＬＥＤ１５をキャリッジ１７ではなく原稿カバー１１に設けたのは、ＬＥＤ１５が読み取りに影響することの防止、ＬＥＤ１５の点灯を制御する制御回路の簡素化、キャリッジ１７の移動に伴うＬＥＤ１５の配線の処理の煩雑化防止などの理由による。キャリッジ１７にＬＥＤ１５を搭載した場合、反射原稿の読み取り中はＬＥＤ１５を消灯しなければならない。これは、反射原稿の読み取り中にＬＥＤ１５が点灯しているとＬＥＤ１５の光が反射光に影響してしまうからである。キャリッジ１７に搭載したＬＥＤ１５を遮蔽して反射光への影響を排除することは困難である。このため、キャリッジ１７にＬＥＤ１５を搭載すると、ＬＥＤ１５の点灯を制御する制御回路と反射原稿用ランプ１９の点灯を制御する制御回路とをそれぞれ別々に設け、反射原稿の読み取り中はＬＥＤ１５を消灯するよう独立して制御しなければならない。しかしながら別々に設けると制御回路が複雑になりコストが上昇する。第一実施例ではＬＥＤ１５を原稿カバー１１に設け、透過原稿用ランプコントローラ２９から透過原稿用ランプ１６に延びる配線を分岐させてＬＥＤ１５に接続することにより、透過原稿用ランプコントローラ２９をＬＥＤ１５の制御回路として併用している。これによりＬＥＤ１５を制御する専用の制御回路を用いることなく反射原稿用ランプ１９とＬＥＤ１５とを独立して制御している。ただし、透過原稿用ランプ１６を点灯するとＬＥＤ１５も点灯するので、透過原稿の読み取り時にＬＥＤ１５の光が透過原稿を照明しないよう、プラテン１０に露出しない位置にＬＥＤ１５を設けている。これによりＬＥＤ１５の光が透過原稿の読み取りに影響することを防止している。また、キャリッジ１７にＬＥＤ１５を搭載した場合はキャリッジ１７の移動に伴ってＬＥＤ１５も移動するが、原稿カバー１１に設けた場合はＬＥＤ１５は移動しないので、移動に伴うＬＥＤ１５の配線の処理が不要になるという利点もある。
なお、ＬＥＤ１５は、補助光源位置近傍に設けてもよい。補助光源位置でＬＥＤ１５が点灯してもＬＥＤ１５から放射された光は反射原稿の読み取りに影響しないので、反射原稿用ランプコントローラ３１をＬＥＤ１５の制御回路として用いることで、コストを低減できる。
【００３１】
次に、透過原稿用ランプ１６およびＬＥＤ１５が反射原稿用ランプ１９の点灯を補助する点灯補助処理について説明する。
図９は、反射原稿用ランプ１９の点灯補助処理の流れを示すフローチャートである。反射原稿用ランプ１９の点灯補助処理は、イメージスキャナ１の電源が投入されたときに一度だけ実行される処理である。なお、ＣＰＵ２５は、電源が投入された後、初めて反射原稿の読み取りが指示されたときに点灯補助処理を実行してもよい。イメージスキャナ１の電源が投入されると、ＣＰＵ２５は反射原稿用ランプ１９の状態を確認するため、反射原稿用ランプコントローラ３１を制御して反射原稿用ランプ１９のスイッチをＯＮにする。反射原稿用ランプ１９のスイッチをＯＮにすることは、反射原稿用ランプ１９の始動に相当する。ＣＰＵ２５は反射原稿用ランプ１９のスイッチをＯＮにした後、以下に説明する点灯補助処理を実行する。
【００３２】
Ｓ１０５では、ＣＰＵ２５は、反射原稿用ランプ１９が点灯したか否かを判定する。この判定は、イメージセンサ２２に入射した光を光電変換した電気信号に基づいて行う。点灯していれば終了し、点灯していなければＳ１１０に進む。
Ｓ１１０では、ＣＰＵ２５は、規定時間待機する。規定時間は、例えば１０秒などである。
【００３３】
Ｓ１１５では、ＣＰＵ２５は、反射原稿用ランプ１９が点灯したか否かを再度判定する。点灯していれば終了し、点灯していなければＳ１２０に進む。
Ｓ１２０では、ＣＰＵ２５は、ループ回数を記憶する変数ｉに０をセットする。ループは最大６回繰り返される。なお、ループ回数は適宜設定してよい。
Ｓ１２５では、ＣＰＵ２５は、キャリッジコントローラ３２を制御し、キャリッジ１７を補助光源位置まで移動させる。
【００３４】
Ｓ１３０では、ＣＰＵ２５は、反射原稿用ランプ１９をＯＦＦにする。
Ｓ１３５では、ＣＰＵ２５は、透過原稿用ランプ１６をＯＮにする。これに伴いＬＥＤ１５もＯＮになる。ＬＥＤ１５は暗黒環境に放置されても始動時間が長くなることはないので、即時に点灯する。
Ｓ１４０では、ＣＰＵ２５は、規定時間待機する。規定時間は、例えば１０秒などである。規定時間は、ループ回数が増えるに伴って５秒ずつ増加する。例えば２回目のループでは規定時間は１５秒、３回目のループでは２０秒となる。なお、規定時間は適宜設定してよい。規定時間中は、反射原稿用ランプ１９の端部がＬＥＤ１５によって照明される。規定時間中に透過原稿用ランプ１６が点灯すれば、透過原稿用ランプ１６が点灯してから規定時間に達するまでの期間中は、反射原稿用ランプ１９の端部がＬＥＤ１５によって照明されるとともに、中央部が透過原稿用ランプ１６によって照明される。
【００３５】
Ｓ１４５では、ＣＰＵ２５は、透過原稿用ランプ１６をＯＦＦする。これに伴いＬＥＤ１５もＯＦＦになる。
Ｓ１５０では、ＣＰＵ２５は、反射原稿用ランプ１９をＯＮにする。第一実施例の点灯補助処理では、透過原稿用ランプ１６はＳ１５０で反射原稿用ランプ１９がＯＮになる前にＳ１３５でＯＮにされる。すなわち、透過原稿用ランプ１６は反射原稿用ランプ１９の始動前に始動される。なお、Ｓ１３０で反射原稿用ランプ１９をＯＦＦにしなくてもよい。その場合は、透過原稿用ランプ１６は反射原稿用ランプ１９の始動後に始動されることになる。
【００３６】
Ｓ１５５では、ＣＰＵ２５は、キャリッジ１７を待機位置（ホームポジション）まで移動させる。
Ｓ１６０では、ＣＰＵ２５は、反射原稿用ランプ１９が点灯しているか否かを判定する。点灯していれば処理を終了する。点灯していなければＳ１６５に進む。
【００３７】
Ｓ１６５では、ＣＰＵ２５は、変数ｉに１を加算する。
Ｓ１７０では、ＣＰＵ２５は、変数ｉが６未満であるか否かを判定する。変数ｉが６未満のときはＣＰＵ２５はＳ１２５に戻って処理を繰り返す。変数ｉが６のときはＣＰＵ２５は点灯に失敗したと判定して処理を終了する。
ＣＰＵ２５は、点灯に失敗したと判定した場合は、例えばイメージセンサ２２の所定の警告ランプを点灯させる。点灯に成功したと判定した場合は反射原稿用ランプ１９を消灯して待機する。
【００３８】
上述したように、イメージスキャナ１の電源が投入されると、反射原稿用ランプ１９のスイッチがＯＮにされることに加え、透過原稿用ランプ１６のスイッチもＯＮにされる。第一実施例では透過原稿用ランプ１６も暗黒始動性が悪いランプであるが、透過原稿用ランプ１６の始動時間が結果として規定時間内であれば、反射原稿用ランプ１９は透過原稿用ランプ１６に照明されて点灯する。
【００３９】
また、反射原稿用ランプ１９は万全を期すため補助光源としてＬＥＤ１５を備えており、透過原稿用ランプ１６を始動するとＬＥＤ１５も始動するので、反射原稿用ランプ１９は透過原稿用ランプ１６に照明されることに加えてＬＥＤ１５にも照明され、確実に点灯する。
【００４０】
次に、反射原稿用ランプ１９が透過原稿用ランプ１６の点灯を補助する点灯補助処理について説明する。
図１０は、透過原稿の点灯補助処理の流れを示すフローチャートである。透過原稿用ランプ１６の点灯補助処理は、電源が投入された後、初めて透過原稿の読み取りが指示されたときに実行される。電源が投入された後に初めて透過原稿の読み取りが指示されると、ＣＰＵ２５は、透過原稿用ランプコントローラ２９を制御して透過原稿用ランプ１６のスイッチをＯＮにする。
【００４１】
Ｓ２０５では、ＣＰＵ２５は、透過原稿用ランプ１６が点灯したか否かを判定する。この判定は、例えばイメージセンサ２２から出力される信号の強弱に基づいて行う。点灯していれば終了し、点灯していなければＳ２１０に進む。
Ｓ２１０では、ＣＰＵ２５は、規定時間待機する。規定時間は、例えば１０秒などである。
【００４２】
Ｓ２１５では、ＣＰＵ２５は、透過原稿用ランプ１６が点灯したか否かを再度判定する。点灯していれば終了し、点灯していなければＳ２２０に進む。
Ｓ２２０では、ＣＰＵ２５は、ループ回数を記憶する変数ｉに０をセットする。ループは最大６回繰り返される。
Ｓ２２５では、ＣＰＵ２５は、透過原稿用ランプ１６をＯＦＦにする。これに伴いＬＥＤ１５もＯＦＦになる。
【００４３】
Ｓ２３０では、ＣＰＵ２５は、反射原稿用ランプ１９をＯＮにする。
Ｓ２３５では、ＣＰＵ２５は、規定時間待機する。規定時間は、例えば１０秒などである。規定時間は、ループ回数が増えるに伴って５秒ずつ増加する。規定時間中に反射原稿用ランプ１９が点灯すれば、反射原稿用ランプ１９が点灯してから規定時間に達するまでの期間中は、透過原稿用ランプ１６の端部が反射原稿用ランプ１９によって照明される。
【００４４】
Ｓ２４０では、ＣＰＵ２５は、反射原稿用ランプ１９を消灯する。
Ｓ２４５では、ＣＰＵ２５は、透過原稿用ランプ１６をＯＮにする。これに伴いＬＥＤ１５もＯＮになる。
Ｓ２５０では、ＣＰＵ２５は、透過原稿用ランプ１６が点灯しているか否かを判定する。点灯していれば処理を終了する。点灯していなければＳ２５５に進む。
【００４５】
Ｓ２５５では、ＣＰＵ２５は、変数ｉに１を加算する。
Ｓ２６０では、ＣＰＵ２５は、変数ｉが６未満であるか否かを判定する。変数ｉが６未満のときはＣＰＵ２５はＳ２２５に戻って処理を繰り返す。変数ｉが６のときはＣＰＵ２５は点灯に失敗したと判定して処理を終了する。
ＣＰＵ２５は、点灯に失敗したと判定した場合は、例えばイメージセンサ２２の所定の警告ランプを点灯させ、ユーザに失敗した旨を通知するとともに、透過原稿の読み取りを中止する。点灯に成功したと判定した場合は透過原稿の読み取りを実行する。
【００４６】
上述したように、透過原稿用ランプ１６の点灯が指示されると、透過原稿用ランプ１６のスイッチがＯＮにされることに加え、反射原稿用ランプ１９のスイッチもＯＮにされる。イメージスキャナ１の電源投入時に反射原稿用ランプ１９をＬＥＤ１５で照明するので、透過原稿用ランプ１６の始動時に反射原稿用ランプ１９は高い確率で点灯する。従って、透過原稿用ランプ１６に専用の補助光源を備えた場合と実質的に同じ効果が得られる。すなわち、反射原稿用ランプ１９にＬＥＤ１５を備えるだけで、反射原稿用ランプ１９についても透過原稿用ランプ１６についても、反射原稿用ランプ１９および透過原稿用ランプ１６のそれぞれに補助光源を備える場合と実質的に同じ効果が得られる。
【００４７】
以上説明した本発明の一実施例にかかるイメージスキャナ１によると、透過原稿用ランプ１６の始動前又は始動後に反射原稿用ランプ１９で透過原稿用ランプ１６を照明するので、透過原稿用ランプ１６専用の補助光源を用いることなく透過原稿用ランプ１６を点灯できる。よって本発明によると、透過原稿用ランプ１６を低コストで点灯できる。
【００４８】
ただし、反射原稿用ランプ１９も暗黒始動性の悪いランプなので、反射原稿用ランプ１９が点灯しなければ透過原稿用ランプ１６を点灯させられない。第一実施例では反射原稿用ランプ１９はＬＥＤ１５を備えているので、反射原稿用ランプ１９は確実に点灯し、その結果、透過原稿用ランプ１６も確実に点灯する。この場合、反射原稿用ランプ１９はＬＥＤ１５を備えるのでその分のコストは増大するものの、透過原稿用ランプ１６はＬＥＤ１５を備えないので、反射原稿用ランプ１９および透過原稿用ランプ１６のそれぞれに補助光源を備える場合に比べ、補助光源の数が少なくて済む。従って、反射原稿用ランプ１９および透過原稿用ランプ１６のそれぞれに補助光源を備える場合に比べ、反射原稿用ランプ１９および透過原稿用ランプ１６を低コストで点灯できる。
【００４９】
なお、第一実施例では反射原稿用ランプ１９がＬＥＤ１５を備えている場合を例に説明したが、反射原稿用ランプ１９は必ずしもＬＥＤ１５を備えていなくてもよい。この場合、反射原稿用ランプ１９は透過原稿用ランプ１６にしか照明されないので反射原稿用ランプ１９が点灯する可能性は低下するものの、透過原稿用ランプ１６で照明しない場合に比べ、コストを増大させることなくより確実に点灯できる。
【００５０】
また、第一実施例では反射原稿用ランプ１９および透過原稿用ランプ１６がいずれもＣＣＦＬの場合を例に説明したが、いずれか一方は暗黒環境に放置されても始動時間が長くならないランプ、すなわち「暗黒始動性」が良いランプであってもよい。例えば透過原稿用ランプは「暗黒始動性」が良いランプであるとすると、透過原稿用ランプは確実に反射原稿用ランプ１９を照明するので、ＬＥＤ１５を備えることなく反射原稿用ランプ１９を点灯できる。
【００５１】
なお、第一実施例では画像読み取り装置としてイメージスキャナ１を例に説明したが、画像読み取り装置は例えば複写機であってもよい。
また、第一実施例では暗黒環境に放置されても始動時間が長くならない補助光源としてＬＥＤを例に説明したが、補助光源は例えば白熱電球などであってもよい。
【００５２】
（第二実施例）
図１１は、第二実施例に係る反射原稿用ランプ１９の点灯補助処理の流れを示すフローチャートである。反射原稿用ランプ１９の点灯補助処理は、イメージスキャナ１の電源が投入されたときに一度だけ実行される。イメージスキャナ１の電源が投入されると、ＣＰＵ２５は反射原稿用ランプ１９の状態を確認するため、反射原稿用ランプコントローラ３１を制御して反射原稿用ランプ１９のスイッチをＯＮにする。ＣＰＵ２５は反射原稿用ランプ１９のスイッチをＯＮにした後、以下に説明する点灯補助処理を実行する。
【００５３】
Ｓ３０５では、ＣＰＵ２５は、反射原稿用ランプ１９が点灯したか否かを判定する。点灯していれば終了し、点灯していなければＳ３１０に進む。
Ｓ３１０では、ＣＰＵ２５は、反射原稿用ランプ１９をＯＦＦにする。
Ｓ３１５では、ＣＰＵ２５は、キャリッジコントローラ３２を制御し、キャリッジ１７を補助光源位置まで移動させる。
【００５４】
Ｓ３２０では、ＣＰＵ２５は、透過原稿用ランプ１６をＯＮにする。これに伴いＬＥＤ１５もＯＮになる。
Ｓ３２５では、ＣＰＵ２５は、規定時間待機する。規定時間は、例えば１０秒などである。規定時間中は、反射原稿用ランプ１９の端部がＬＥＤ１５によって照明される。規定時間中に透過原稿用ランプ１６が点灯すれば、透過原稿用ランプ１６が点灯してから規定時間に達するまでの期間中は、反射原稿用ランプ１９の端部がＬＥＤ１５によって照明されるとともに、中央部が透過原稿用ランプ１６によって照明される。
【００５５】
Ｓ３３０では、ＣＰＵ２５は、キャリッジ１７を待機位置（ホームポジション）まで移動させ、読み取りが指示されるまで待機する。
多くの場合、ＬＥＤ１５をある一定の時間点灯すれば反射原稿用ランプ１９は高い確率で点灯するので、第二実施例によると、反射原稿用ランプ１９の点灯補助処理を簡素にできる。
【００５６】
（第三実施例）
図１２は、第三実施例に係るイメージスキャナ５０の上面の模式図であって、原稿カバーを取り外した状態の模式図である。図示するようにイメージスキャナ５０には原稿載置面上に反射原稿および透過原稿を位置決めするためのＬ字状の原稿ガイド５１が設けられている。原稿ガイド５１はハウジング１３とは別部材であり、ハウジング１３に固定されている。ユーザは反射原稿の２辺を原稿ガイド５１の２辺に当接させて位置決めする。原稿ガイド５１には図示するように通孔５２および通孔５３が形成されている。
【００５７】
図１３は、イメージスキャナ５０の内部構造を示す模式図である。図示するように透過原稿用ランプ１６から放射された光は通孔５２を通過して反射原稿用ランプ１９に至る。同様に、反射原稿用ランプ１９から放射された光は通孔５２を通過して透過原稿用ランプ１６に至る。ＬＥＤ１５から放射された光は通孔５３（図１２参照）を通過して反射原稿用ランプに至る。第三実施例はその他の点において第一実施例と実質的に同一である。
【００５８】
（第四実施例）
図１４は、第四実施例に係るイメージスキャナ６０の上面の模式図である。実線６４は第四実施例に係る原稿マットの大きさを示している。原稿マットはプラテンの原稿載置面１０ａと同じ大きさであり、実線６４は原稿マットの大きさを示しているとともに、原稿載置面１０ａの大きさを示している。図１４において原稿載置面上の網掛け領域６５は読み取り対象領域を示している。読み取り対象領域６５はイメージセンサ２２によって読み取られる領域である。原稿載置面１０ａは読み取り対象領域６５より広く、副走査方向の端部は読み取り対象領域６５から外れている。原稿マットには原稿載置面１０ａの読み取り対象領域６５から外れた位置の上方に通孔６２および通孔６３が形成されている。また、支持部材３５には通孔６２の上方に通孔６６（図１５参照）が形成されており、同様に通孔６３の上方に図示しない通孔が形成されている。
【００５９】
図１５は、イメージスキャナ６０の内部構造を示す模式図である。図示するように透過原稿用ランプ１６から放射された光は通孔６２を通過して反射原稿用ランプ１９に至る。同様に、反射原稿用ランプ１９から放射された光は通孔６２を通過して透過原稿用ランプ１６に至る。ＬＥＤ１５から放射された光は通孔６３を通過して反射原稿用ランプに至る。第四実施例はその他の点において第一実施例と実質的に同一である。
【図面の簡単な説明】
【００６０】
【図１】本発明の第一実施例に係る画像読み取り装置の模式図。
【図２】本発明の第一実施例に係る画像読み取り装置の模式図。
【図３】本発明の第一実施例に係る画像読み取り装置のブロック図。
【図４】本発明の第一実施例に係るハウジングの上面の斜視図。
【図５】本発明の第一実施例に係るハウジングの上面の斜視図。
【図６】本発明の第一実施例に係る原稿カバーの下面の斜視図。
【図７】本発明の第一実施例に係る原稿カバーの下面の斜視図。
【図８】本発明の第一実施例に係るハウジングの上面の斜視図。
【図９】本発明の第一実施例に係る点灯補助処理の流れを示すフローチャート。
【図１０】本発明の第一実施例に係る点灯補助処理の流れを示すフローチャート。
【図１１】本発明の第二実施例に係る点灯補助処理の流れを示すフローチャート。
【図１２】本発明の第三実施例に係る画像読み取り装置の模式図。
【図１３】本発明の第三実施例に係る画像読み取り装置の模式図。
【図１４】本発明の第四実施例に係る画像読み取り装置の模式図。
【図１５】本発明の第四実施例に係る画像読み取り装置の模式図。
【符号の説明】
【００６１】
１、５０、６０  イメージスキャナ（画像読み取り装置）、１０  プラテン、１０ａ  原稿載置面、１１  原稿カバー、１３  ハウジング、１６  透過原稿用ランプ、１９  反射原稿用ランプ、２２  イメージセンサ、２５  ＣＰＵ（始動手段）、２９  透過原稿用ランプコントローラ（始動手段）、３１  反射原稿用ランプコントローラ（始動手段）、４０  通孔、Ｐ  光路、５１  原稿ガイド、５２  通孔
【図１】
2006279426.tif 000003
【図２】
2006279426.tif 000004
【図３】
2006279426.tif 000005
【図４】
2006279426.tif 000006
【図５】
2006279426.tif 000007
【図６】
2006279426.tif 000008
【図７】
2006279426.tif 000009
【図８】
2006279426.tif 000010
【図９】
2006279426.tif 000011
【図１０】
2006279426.tif 000012
【図１１】
2006279426.tif 000013
【図１２】
2006279426.tif 000014
【図１３】
2006279426.tif 000015
【図１４】
2006279426.tif 000016
【図１５】
2006279426.tif 000017